(57)【要約】【課題】第３者にはそれとわからないようにメール着信情報を報知できるようにする。【解決手段】通信装置である携帯電話１０は、メールを受信する受信手段と、当該受信手段のメール受信に応じてメッセージの表示又は着信音の鳴動によりメール受信を報知する報知手段３３と、報知手段３３による報知と異なる報知を行う特定のメール報知モードを設定する報知モード設定手段３４と、表示手段（表示部２３）と、を備え、報知モード設定手段３４に特定のメール報知モードが設定されている場合、受信手段がメールを受信すると、報知手段３３によるメール受信の報知を禁止し、且つ、報知モード設定手段３４に設定された特定の報知モードでメール受信を報知する。【選択図】図１
2009260484.tif 000002
【特許請求の範囲】
【請求項１】
メールを受信する受信手段と、当該受信手段のメール受信に応じてメッセージの表示又は着信音の鳴動によりメール受信を報知する報知手段と、前記報知手段による報知と異なる報知を行う特定のメール報知モードを設定する報知モード設定手段と、表示手段と、を備え、
前記報知モード設定手段に特定のメール報知モードが設定されている場合、前記受信手段がメールを受信すると、前記報知手段によるメール受信の報知を禁止し、且つ、前記報知モード設定手段に設定された特定の報知モードでメール受信を報知することを特徴とする通信装置。
【請求項２】
前記報知モード設定手段に設定する報知モードは、前記表示手段の表示色を、メールを受信する前の待受け状態での表示色と異なる表示色で表示するモードであることを特徴とする請求項１に記載の通信装置。
【請求項３】
前記報知モード設定手段に設定する報知モードは、前記表示手段に表示される時刻の表示色を、メールを受信する前の待受け状態での表示色と異なる表示色で表示するモードであることを特徴とする請求項１に記載の通信装置。
【請求項４】
前記報知モード設定手段に設定する報知モードは、前記表示手段に表示されているアイコンの表示色を、メールを受信する前の待受け状態での表示色と異なる表示色で表示するモードであることを特徴とする請求項１に記載の通信装置。
【請求項５】
前記報知モード設定手段は、メールを受信したことをユーザのみ認識可能なメッセージを登録する登録手段と、当該登録手段により登録された前記メッセージを格納する格納手段と、を含み、前記報知モード設定手段に設定する報知モードは、前記格納手段に格納されたメッセージを表示するモードであることを特徴とする請求項１に記載の通信装置。
【請求項６】
前記報知モード設定手段は、メールを受信したことをユーザのみ認識可能なアイコンを録する登録手段と、当該登録手段により登録された前記アイコンを格納する格納手段と、を含み、前記報知モード設定手段に設定する報知モードは、前記格納手段に格納されたアイコンを表示するモードであることを特徴とする請求項１に記載の通信装置。
【発明の詳細な説明】
【技術分野】
【０００１】
本発明は、携帯電話などの通信装置における電子メールの着信履歴やメール本文の秘匿機能に関するものであり、特に、通信装置において電子メールの着信があった場合に、第３者にはそれとわからないようにメール着信情報を報知できるようにした通信装置に関するものである。
【背景技術】
【０００２】
近年の情報処理技術、通信技術の発展に伴い種々の携帯型の情報通信端末装置（以下、携帯端末装置という）が広く普及している。このような携帯端末装置により、利用者が外出先からインターネットなどのネットワークを介して種々サービスを提供する情報配信サーバや所望のウェブサイトに接続して当該サービスを受け、あるいは情報を取得したり、自社のネットワークに接続したりして業務上必要な情報を取得することができる。
【０００３】
最近では、携帯電話のハード、ソフト機能が充実し、従来の携帯端末装置の機能を兼ねるようになってきており、携帯電話の普及率の拡大にはめざましいものがある。携帯電話を利用したデータ通信サービスを提供する事業者も増加しており、携帯電話を利用してバンキング、インターネット販売、ナビゲーション、自動販売機、交通機関やコンビニエンスストアなどの代金決済など、様々なサービスを受けることができるようになってきている。特に携帯電話においては種々のオプションやアプリケーションが搭載可能であり、利用できるサービスの種類も豊富になってきている。
【０００４】
また、第３世代と称される携帯電話にはＧＰＳ受信機が搭載され、携帯電話自体が位置する現在位置（緯度・経度）を測定することができ、携帯電話を端末装置としたナビゲーションシステムも実用化されている。このような測位システムを利用して、高齢者や児童などの位置確認や、犯罪や火災などの事件、事故における通報時の位置確認などに利用できるシステムも種々検討されている。
【０００５】
更に、利用者は、サービス事業者が提供するブラウザやアプリケーション、ゲームソフトのように携帯電話用として開発された様々なアプリケーションなどを自身が所有する携帯電話にインストールして所望のサービスや機能を追加するためカスタマイズすることができる。
【０００６】
携帯電話の主要な機能は通話機能であるが、通話に変わる手段としてインターネットを利用した電子メール（以下、単にメールと称する）を他用する利用者は多い。これは通話料金に対して、インターネットを利用したデータ通信料金が低くまた、料金の定額化が定着したこと、メールの場合には送信者と受信者との間の回線接続が必要なく、送受信者の双方が任意に都合のよい時にメール送受信操作をすることができることなどの理由による。
【０００７】
一般的な携帯電話においては、メール送受信機能を指定し、着信した受信メールを表示部に表示して内容を読むことができる。また、メール送信時にはメール作成機能を選択してメール作成画面を表示し、メール宛先や本文を入力した後、送信操作をすることによって所望の相手先にメールを送信することができる。また、送受信メールは、着信履歴、発信履歴としてリスト化され、利用者はいつでもこれらの履歴を参照して所望のメール本文を表示させることができる。
【０００８】
送信メールや受信メールは削除処理を行わない限り記憶容量の範囲内でメール記憶部に自動的に保存され、また、送信メール一覧や受信メール一覧もメール記憶部に保存される。利用者はこれらのメール一覧から任意のメールを選択し、メール本文を表示部に表示することもできる。
【０００９】
メールによる通信においては、利用者が受信したメールに対して返信機能を利用してメール本文を作成し、返信メールを相手方に送信することも多い。通常受信メールを表示部に表示した状態で、メール返信機能を指定すると、返信メール作成画面に切り替わり、利用者はこの返信メール作成画面にメール本文を入力する。
【００１０】
返信メール作成画面でメール本文を作成した後、送信操作すれば、送信先アドレスや送信先の氏名等に受信メールの送信者のアドレスや氏名が自動的に設定され、返信メールを相手方に送信することができる。
【００１１】
携帯電話に限らず、電子メールの送受信機能を有する通信装置においては、新着メールの着信報知が音声や着信メーセッジの表示あるいはバイブレーションなどの種々の態様により行われる。従って、正規の通信装置の所持者でない第３者でも新着メールの着信を知ることができ、メール本文を参照できる。
【００１２】
例えば、下記の特許文献１（特開平１０−２３３８３３号公報）には、音声によりメール発信者名を報知する携帯電話装置の発明が開示されている。また、下記の特許文献２（特開２００２−３３５３０５号公報）には、所定の鳴動時間、鳴動間隔で音源を制御して音声鳴動により新着電子メールの着信を報知する携帯端末の発明が開示されている。
【００１３】
ところで、携帯電話が盗難にあったり、置き忘れや紛失した場合、第３者による携帯電話の不正使用や携帯電話内に蓄積された個人情報が流失して悪用される恐れがある。このため、携帯電話には操作入力をロックする機能が用意されており、利用者が設定したパスワードを入力して操作入力のロックを解除してからでなければ操作できないようにされている。
【００１４】
また、個人情報を秘匿するための機能としてプライバシー設定が可能であり、プライバシー設定を有効（オン）にするとメール機能がロックされ、更に、携帯電話に入力、蓄積されている個人情報の参照がロックされる。利用者はメール機能を利用したり、個人情報を参照したりする場合には、パスワードなどを入力してプライバシー設定を解除する。
【００１５】
プライバシー設定機能を有する携帯電話は、例えば、下記の特許文献３（特開２００５−１１５４９２号公報）や特許文献４（特開２００６−４０１３７号公報）などに開示されている。
【００１６】
この特許文献３に開示された携帯電話の発明は、フォルダごとにセキュリティを設定し、セキュリティを設定したフォルダは、表示上見えなくし、プライバシーの保護をするようにしたものであり、受信メール保存用の受信フォルダが複数個備えられ,セキュリティ処理用の暗証番号を、記憶部に保存しておき、メニューキーを操作し、「セキュリティ設定・解除」画面を表示部に表示させ、暗証番号を入力し、スクロールキーにより受信フォルダを選択し、「セキュリティ設定・解除用受信フォルダ一覧」を表示させる。
【００１７】
受信フォルダ番号にマークが付けられ、通常の「受信フォルダ一覧」では、このセキュリティ処理された受信フォルダ番号は非表示となり、セキュリティ処理を解除する場合は、「セキュリティ設定・解除」画面を表示させ、暗証番号を入力し、受信フォルダを選択するように構成されている。「セキュリティ設定・解除用受信フォルダ一覧」には、セキュリティ処理された受信フォルダ番号にマークが付いて表示されるようになっている。
【００１８】
また、特許文献４に開示された携帯電話の発明は、メール情報を受信する手段と、受信したメール情報に含まれる送信者の情報と予め設定されている情報とを照合する手段と、メール情報に含まれる送信者の情報が予め設定されている情報に一致したときに、暗号鍵を生成する手段と、受信したメールの表示要求があったときに、生成された暗号鍵に基づいて、受信したメールを暗号化する手段と、暗号化されたメールを表示する手段とにより、メールの送信者が予め設定した特定の人である場合には、送信されたメールの内容を受信側で暗号化するように構成されたものである。
【特許文献１】特開平１０−２３３８３３号公報
【特許文献２】特開２００２−３３５３０５号公報
【特許文献３】特開２００５−１１５４９２号公報
【特許文献４】特開２００６−４０１３７号公報
【発明の開示】
【発明が解決しようとする課題】
【００１９】
上記特許文献１や特許文献２に開示された技術を用いた場合、正規の通信装置の所持者でない第３者でも新着メールの着信を知ることができ、メール本文を参照できるという不具合が生じる。
【００２０】
また、一般に電子メールに関するプライバシー機能の設定は、特定の相手方の電子メールアドレス等を登録し、当該登録したメールアドレスからメールを受信した際には、着信報知を行わず、利用者がプライバシー設定を解除しないと着信メール一覧にも表示されないように構成されている。
【００２１】
従って、利用者がプライバシー設定を解除して新着受信メールを確認する操作を行わない限り、プライバシー設定において登録した相手方からのメールの着信を知ることができない。このため、緊急の要件に気づかなかったりすることもある。また、メールを保存する記憶領域の容量にも限りがあるため、長い期間この操作がなされない場合には、着信メールが削除されてしまい、メールの確認をすることもできなくなる。
【００２２】
上記特許文献３や特許文献４によれば、暗証番号を用い、あるいは、暗号化、複号化処理を用いることにより、受信メール一覧やメールの受信フォルダごとに第３者からメール本文が参照されないようにすることはできるが、プライバシー設定において設定された相手方からのメールの着信に関する考慮がなされておらず、上記した問題点を解消することはできない。
【００２３】
本願の発明者は上記の問題点を解消すべく種々検討を重ねた結果、メールの送受信機能を有する携帯電話などの通信装置において、予め第３者にはそれとわからない報知方法を設定しておき、メールの着信があった時に当該設定した報知方法によりメールの着信を報知するようになせば上記の問題点を解消し得ることに想到して本発明を完成するに至ったものである。
【００２４】
すなわち、本発明は上記の問題点を解消することを課題とし、通信装置において電子メールの着信があった場合に、第３者にはそれとわからないようにメール着信情報を報知できるようにした通信装置を提供することを目的とするものである。
【課題を解決するための手段】
【００２５】
前記課題を解決するために、本願の請求項１にかかる発明は、メールを受信する受信手段と、当該受信手段のメール受信に応じてメッセージの表示又は着信音の鳴動によりメール受信を報知する報知手段と、前記報知手段による報知と異なる報知を行う特定のメール報知モードを設定する報知モード設定手段と、表示手段と、を備え、前記報知モード設定手段に特定のメール報知モードが設定されている場合、前記受信手段がメールを受信すると、前記報知手段によるメール受信の報知を禁止し、且つ、前記報知モード設定手段に設定された特定の報知モードでメール受信を報知することを特徴とする。
【００２６】
また、本願の請求項２にかかる発明は、請求項１にかかる通信装置において、前記報知モード設定手段に設定する報知モードは、前記表示手段の表示色を、メールを受信する前の待受け状態での表示色と異なる表示色で表示するモードであることを特徴とする。
【００２７】
また、本願の請求項３かかる発明は、請求項１にかかる通信装置において、前記報知モード設定手段に設定する報知モードは、前記表示手段に表示される時刻の表示色を、メールを受信する前の待受け状態での表示色と異なる表示色で表示するモードであることを特徴とする。
【００２８】
また、本願の請求項４かかる発明は、請求項１にかかる通信装置において、前記報知モード設定手段に設定する報知モードは、前記表示手段に表示されているアイコンの表示色を、メールを受信する前の待受け状態での表示色と異なる表示色で表示するモードであることを特徴とする。
【００２９】
また、本願の請求項５にかかる、請求項１にかかる通信装置において、前記報知モード設定手段は、メールを受信したことをユーザのみ認識可能なメッセージを登録する登録手段と、当該登録手段により登録された前記メッセージを格納する格納手段と、を含み、前記報知モード設定手段に設定する報知モードは、前記格納手段に格納されたメッセージを表示するモードであることを特徴とする。
【００３０】
また、本願の請求項６にかかる、請求項１にかかる通信装置において、前記報知モード設定手段は、メールを受信したことをユーザのみ認識可能なアイコンを録する登録手段と、当該登録手段により登録された前記アイコンを格納する格納手段と、を含み、前記報知モード設定手段に設定する報知モードは、前記格納手段に格納されたアイコンを表示するモードであることを特徴とする。
【発明の効果】
【００３１】
請求項１にかかる発明においては、通信装置は、メールを受信する受信手段と、当該受信手段のメール受信に応じてメッセージの表示又は着信音の鳴動によりメール受信を報知する報知手段と、前記報知手段による報知と異なる報知を行う特定のメール報知モードを設定する報知モード設定手段と、表示手段と、を備え、前記報知モード設定手段に特定のメール報知モードが設定されている場合、前記受信手段がメールを受信すると、前記報知手段によるメール受信の報知を禁止し、且つ、前記報知モード設定手段に設定された特定の報知モードでメール受信を報知する。
【００３２】
かかる構成によれば、通常のメール着信報知の方法と異なる特定の着信報知のモードを設定することにより、通信装置の保有者のみがメール着信と認識できる報知方法でメール着信の報知を行うことができるようになる。
【００３３】
請求項２にかかる発明においては、請求項１にかかる通信装置において、報知モード設定手段に設定する報知モードは、前記表示手段の表示色を、メールを受信する前の待受け状態での表示色と異ならせるモードであるから、通信装置の保有者のみがメール着信と認識できる報知方法でメール着信の報知を行うことができるようになる。
【００３４】
請求項３にかかる発明においては、請求項１にかかる通信装置において、報知モード設定手段に設定する報知モードは、前記表示手段に表示される時刻の表示色を、メールを受信する前の待受け状態での表示色と異なる表示色で表示するモードであるから、通信装置の保有者のみがメール着信と認識できる報知方法でメール着信の報知を行うことができるようになる。
【００３５】
請求項４にかかる発明においては、請求項１にかかる通信装置において、報知モード設定手段に設定する報知モードは、前記表示手段に表示されているアイコンの表示色を、メールを受信する前の待受け状態での表示色と異なる表示色で表示するモードであるから、通信装置の保有者のみがメール着信と認識できる報知方法でメール着信の報知を行うことができるようになる。
【００３６】
請求項５にかかる発明においては、請求項１にかかる通信装置において、報知モード設定手段は、メールを受信したことをユーザのみ認識可能なメッセージを登録する登録手段と、当該登録手段により登録された前記メッセージを格納する格納手段と、を含み、前記報知モード設定手段に設定する報知モードは、前記格納手段に格納されたメッセージを表示するモードである。かかる構成によれば、通信装置の保有者のみがメール着信と認識できる報知方法でメール着信の報知を行うことができるようになる。
【００３７】
請求項６にかかる発明においては、請求項１にかかる通信装置において、報知モード設定手段は、メールを受信したことをユーザのみ認識可能なアイコンを録する登録手段と、当該登録手段により登録された前記アイコンを格納する格納手段と、を含み、前記報知モード設定手段に設定する報知モードは、前記格納手段に格納されたアイコンを表示するモードである。かかる構成によれば、通信装置の保有者のみがメール着信と認識できる報知方法でメール着信の報知を行うことができるようになる。
【発明を実施するための最良の形態】
【００３８】
以下、本発明の具体例を実施例及び図面を用いて詳細に説明する。但し、以下に示す実施例は、本発明の技術思想を具体化するための通信装置を例示するものであって、本発明をこの通信装置に特定することを意図するものではなく、特許請求の範囲に含まれるその他の実施形態の通信装置にも等しく適用し得るものである。
【実施例１】
【００３９】
図１は、本発明の実施例１にかかる通信装置としての携帯電話１０の構成を示すブロック図、図２は、図１の通信装置としての携帯電話１０の外観を示す外観図である。なお、以下の実施例においては、携帯電話１０を実施例として本発明を説明するが、本発明はこれに限ることなく、一般的なメール送受信機能を有する通信装置にも適用可能である。
【００４０】
携帯電話１０は、通話部１１と本発明にかかる機能制御部２１から構成されている。通話部１１は、マイク１２とスピーカ１３と無線部１４とから構成されている。無線部１４は、アンテナ、送受信回路、変復調回路、圧縮伸長回路、音声コーデック等を含んでおり、該無線部１４を介してマイク１２から入力された音声を音声信号として送信し、通話の相手方の音声信号を受信してスピーカ１３に出力する。
【００４１】
機能制御部２１は、主制御部２２、表示部２３、操作部２４、受信メール記憶部２５、送信メール記憶部２６、メール一覧記憶部２７、メール表示制御部２８、表示メモリ２９、メール処理制御部３０、メール着信を報知する報知手段３３、特定の報知モードを設定する報知モード設定手段３４などを備えて構成されている。主制御部２２は、マイクロコンピュータ、ＲＡＭ、ＲＯＭ等からなりコンピュータ装置として機能し、無線部１４および機能制御部２１の上記各部を制御する。
【００４２】
図２は、図１に示す携帯電話１０の外観を示す図である。携帯電話１０は液晶表示ユニットなどで構成された表示部２３と操作部２４とを備えており、操作部２４には通話キー２４１と機能選択キー２４３と複数のテンキー２４５が設けられ、また、参照番号を付していないモードキーや表示部２３に表示された画面の特定表示画像を操作するためのカーソルキーなどを備えている。
【００４３】
表示部２３、操作部２４は、携帯電話１０における通話のための表示および操作の他に、インターネット網を介したデータ通信のための操作および表示にも使用される。操作部２４は、通話時に電話番号入力をするため、また、電子メールをはじめとするインターネット網を介した各種のデータ通信サービスを利用するために所望の文字列を入力するために使用される。例えば、メール受信機能を起動している場合には、操作部２４は当該携帯電話１０に着信したメールを受信し、表示部２３は受信したメールを表示するために使用される。また、待ち受け画面において、メール着信があった場合にはメールの着信報知が行われる。
【００４４】
操作部２４には、通話キー２４１、機能選択キー２４３、テンキー２４５が設けられ、通話時にはテンキー２４５を操作して電話番号を入力し、通話キー２４１を操作すると発信できる。また、テンキー２４５には英数字、カタカナ、ひらがなの文字が割り当てられ、図示していない英数カナ変換制御部により文字コード変換が行われる。文字コード変換は、入力モードが英数カナモードか、あるいは、かな漢字変換モードであるかによりそれぞれ操作されたキーに応じた入力文字コードに変換される。機能選択キー２４３は携帯電話１０の所定の機能を有効にするキーであり、メーカー、機種によりこのキーに割当てられる機能は異なる。
【００４５】
メール処理制御部３０は、送信メールや受信メールの処理を行う。受信メール記憶部２５には、携帯電話１０が受信したメールが記憶（保存）され、送信メール記憶部２６には携帯電話１０から送信したメールが記憶（保存）される。メール一覧記憶部２７には、受信メールの一覧データおよび送信メールの一覧データが記憶される。メール表示制御部２８は、受信メール記憶部２５や送信メール記憶部２６に記憶された個々のメールやメール一覧記憶部２７に記憶された受信メール一覧や送信メール一覧を表示部２３に表示する制御を行う
図３、図４は、メール一覧記憶部２７に記憶される受信メール一覧、送信メール一覧のデータ構成を示す図である。受信メール一覧には、図３に示すように新しいメールから順にメールＩＤが付され、送信者／アドレス（メールアドレス）、メールの表題、受信日時が記憶され、メールがプライバシー設定の対象であるか否かを示すフラグ情報が記憶される。フラグ情報は「１」がプライバシー設定の対象メール、「０」がプライバシー設定の対象外メールであるものとする。以下の説明において、フラグを「オン」にするとはフラグ情報を「１」にすることを示し、フラグを「オフ」するとはフラグ情報を「０」にすることを指すものとする。
【００４６】
通常の場合、携帯電話１０は、メールを受信すると、報知手段３３は、メッセージの表示又は着信音の鳴動によりメール受信を報知する。携帯電話１０の保有者のみがメール着信と認識できる報知方法を設定したい場合、報知モード設定手段３４に登録を行い特定の報知モードを設定する。特定の報知モードとは、例えば、表示部２３の表示画面の表示色を、メールを受信する前の待受け状態での表示色と異なる表示色で表示するモードである。
【００４７】
報知モード設定手段３４に特定の報知モードが設定されている場合、メール処理制御部３０がメールを受信すると、報知手段３３による通常の報知を禁止し、報知モード設定手段に設定された特定の報知モードでメール受信を報知する。特定の報知モードが前述のように、表示部２３の表示画面の表示色を、メールを受信する前の待受け状態での表示色と異なる表示色で表示するモードである場合は、設定された報知モード、すなわち、表示部２３の表示画面の表示色を、メールを受信する前の待受け状態での表示色と異なる表示色とする。かかる報知を行えば、第３者にはそれとわからない方法でメール着信を報知することができるようになる。
【００４８】
特定の報知モードには、種々の報知方法を適用することができる。例えば、前述の報知方法の他、（１）表示部２３に表示される時刻表示の表示色を、メールを受信する前の待受け状態での表示色と異なる表示色で表示する態様、（２）表示部２３に表示されているアイコンの表示色を、メールを受信する前の待受け状態での表示色と異なる表示色で表示する態様、（３）報知モード設定手段３４を、メールを受信したことをユーザのみ認識可能なメッセージを登録する登録手段と、当該登録手段により登録された前記メッセージを格納する格納手段とを含んで構成し、格納手段に格納されたメッセージを表示する態様、（４）報知モード設定手段３４を、メールを受信したことをユーザのみ認識可能なアイコンを登録する登録手段と、当該登録手段により登録された前記アイコンを格納する格納手段とを含んで構成し、格納手段に格納されたアイコンを表示する態様、などである。
【００４９】
図５は、このような特定の報知モードによる着信表示の例を示す図であり、図５（ａ）は時刻表示を用いた着信表示、図５（ｂ）は電波の受信状態表示のアイコンを用いた着信表示、図５（ｃ）は背景表示（表示画面の表示色）を用いた着信表示、図５（ｄ）は特定のメッセージ表示を用いた着信表示の例を示している。
【００５０】
以上、説明した実施例１にかかる携帯電話１０は、通常のメール着信報知の他に、利用者が特定の報知モードを設定するようにした例であったが、携帯電話１０におけるメールのプライバシー設定と上記の特定の報知モードとを組み合わせることもできる。以下に説明する本発明の実施例２かかる携帯電話１０はそのように構成したものである。
【実施例２】
【００５１】
図６は、本発明の実施例２にかかる通信装置としての携帯電話１０の構成を示すブロック図である。実施例２にかかる携帯電話１０は、実施例１にかかる携帯電話１０と基本的には同様の構成であるが、図６に示す実施例２にかかる携帯電話１０においては、報知モード設定手段３４にかえて、メールを秘匿するプライバシー設定のオン、オフを記憶するプライバシー設定記憶部３１と、特定文字列検出処理部３２とが設けられ、特定の報知モードでメール着信を表示するか否かを判別する点が異なる。
【００５２】
すなわち、実施例２にかかる携帯電話１０は、メールを受信した際、プライバシー設定がオンに設定され、プライバシー設定対象のメールであるか否かを特定文字列検出処理部３２が判別し、プライバシー対象のメールが着信した場合、予め定められた特定の報知モードでメール着信を報知するように構成したものである。特定の報知モードには、実施例１で説明した各種の態様を用いることができる。
【００５３】
携帯電話の利用者が操作部２４を用いてメールのプライパシー設定をする場合、機能選択キー２４３によりプライパシー機能を有効（オン）にする。そして、プライバシー設定の処理の対象にするメールの相手方を設定する。この設定は、一般的には相手方のメールアドレスアドレスを設定するが、メール本文中の特定の文字列、例えば、名前や愛称あるいは相手方との間で決定した特定のキーワードなどの文字列を設定することもできる。これらの設定は、プライバシー設定記憶部３１に記憶される。
【００５４】
本実施例２において、携帯電話１０にメールが受信されるとメール処理メール処理制御部３０は次のような処理を行い、プライバシー設定の対象メールであるか否かを判別し、プライバシー設定の対象メールであると判別すると、メールの着信報知を通常の着信報知と異なる態様で行う。通常の着信報知と異なる報知とは、利用者本人にはメール着信とわかるが、第３者にはそれとわからない報知態様であればよく、例えば、時刻表示、電波の受信状態表示、表示画面の背景表示の表示内容や表示色、特定の表示メッセージなどを通常と異なる表示態様とするなどの報知態様とする。この報知態様の具体例については後述する。
【００５５】
携帯電話１０がメールを受信すると、特定文字列検出部３２は受信メールの送信元アドレス、メール本文からプライバシー設定記憶部３１に記憶された特定文字列が含まれているか否かを検出する。特定文字列が検出されると、受信したメールがプライバシー設定の対象のメールであることがわかる。その場合、メール処理制御部３０は、メールの着信報知を通常の着信報知と異なる態様で行う。
【００５６】
また、受信したメールがプライバシー設定の対象のメールであることがわかると、メール処理制御部３０は、受信メール記憶部２５にメールを記憶し、また、メール一覧記憶部２７の受信メール一覧に記憶する場合、該当するメールがプライバシー対象のメールであることを示すフラグ情報を付加して記憶する（図３参照）。これに基づいてメール表示制御部２８は、メールやメール一覧を表示部２３に表示する際に、プライバシー設定が有効である場合には、フラグ情報が付加されたメールの表示を禁止する制御を行う。フラグ情報の付加は、プライバシー設定対象の相手方に対する送信メールに対しても同様に行い、送信メールやその一覧の表示を制限するように構成しておく。
【００５７】
図７、以上説明した本発明の実施例にかかる携帯電話１０におけるメールの着信報知の手順を示すフローチャートである。
【００５８】
携帯電話１０がステップＳ１０１の処理でメールを受信すると、特定文字列検出部３２はステップＳ１０２の処理で受信メールの送信元アドレス、メール本文の文字列を解析し、プライバシー設定記憶部３１に記憶された特定文字列が含まれているか否かを検出する。ステップＳ１０２の判別処理において、特定文字列が検出されると、受信したメールがプライバシー設定の対象のメールであることがわかる。その場合、メール処理制御部３０は、ステップＳ１０３の処理に進み、メールの着信報知を通常の着信報知と異なる態様で行う。
【００５９】
一方、ステップＳ１０２の判別処理において、特定文字列が検出されなければ、受信したメールがプライバシー設定の対象のメールでないことがわかる。その場合、メール処理制御部３０は、ステップＳ１０の処理に進み、メールの着信報知を通常の着信報知と異なる態様で行う。
【００６０】
以上、詳細に説明したように、本発明による通信装置によれば、通信装置の利用者が予め第３者にはそれとわからない報知方法を設定しておき、メールの着信があった時に当該設定した報知方法によりメールの着信を報知するものであるから、メールの着信状況を第３者に知られることがなくなる。
【図面の簡単な説明】
【００６１】
【図１】本発明の実施例１にかかるメール送受信機能を有する通信装置としての携帯電話の構成を示すブロック図である。
【図２】図１の携帯電話の外観を示す図である。
【図３】受信メール記憶部に記憶された受信メールの一覧のデータ構成を示す図である。
【図４】送信メール記憶部に記憶された送信メールの一覧のデータ構成を示す図である。
【図５】本発明実施例１にかかる携帯電話において特定のメール報知モードが設定された場合の着信表示の一例を示す図である。
【図６】本発明の実施例２にかかるメール送受信機能を有する通信装置としての携帯電話の構成を示すブロック図である。
【図７】本発明の実施例２にかかる携帯電話におけるメールの着信報知の手順を示すフローチャートである。
【符号の説明】
【００６２】
１０・・・携帯電話（通信装置）
１１・・・通話部
１２・・・マイク
１３・・・スピーカ
１４・・・無線部
２１・・・機能制御部
２２・・・主制御部
２３・・・表示部
２４・・・操作部
２５・・・受信メール記憶部
２６・・・送信メール記憶部
２７・・・グループ設定部
２８・・・メール表示制御部
３０・・・メール処理制御部
３１・・・プライバシー設定記憶部
３２・・・特定文字列検出処理部
３３・・・報知手段
３４・・・報知モード設定手段
【図１】
2009260484.tif 000003
【図２】
2009260484.tif 000004
【図３】
2009260484.tif 000005
【図４】
2009260484.tif 000006
【図５】
2009260484.tif 000007
【図６】
2009260484.tif 000008
【図７】
2009260484.tif 000009